(57)【要約】【課題】Ｕ字状エレメントカバーをヒュージブルリンクに確実に固定できて、しかも従来装置のような横幅のとるリンクや二重係止部が不要となる小型のヒュージブルリンクを提供する。【解決手段】バッテリー直付けヒュージブルリンク１０の表側を覆う表側カバー部２１と裏側カバー部２２を備えたＵ字状エレメントカバー２０において、一方のカバー部の先端に断面コ字状部材２１Ｍを形成し、他方のカバー部の先端にコ字状部材の平坦部を押圧するように長尺部材２２Ｆを立設し、ヒューズ収納部１２の端部壁部に表側と裏側とを貫通する貫通孔１３Ｈを形成し、貫通孔１３Ｈの表側近傍の壁部と裏側近傍の壁部を除く途中の壁部を除去してヒューズ収納部１２と開口させ、その開口にコ字状部材２１Ｍを没入させるようにした。【選択図】図１
2010129313.tif 000002
【特許請求の範囲】
【請求項１】
バッテリー直付けヒュージブルリンクのヒューズ収納部の表側を覆う表側カバー部と、裏側を覆う裏側カバー部と、前記表側カバー部と前記裏側カバー部とを連結する連結部とから成るＵ字状エレメントカバーにおいて、前記両カバー部の一方のカバー部の先端に断面コ字状のコ字状部材をコ字の平坦部が前記裏面側を向きかつ両脚部がそれぞれ上下方向を向くように形成し、前記両カバー部の他方のカバー部の先端に前記コ字状部材の平坦部を押圧するように長尺部材を立設したことを特徴とするバッテリー直付けヒュージブルリンク用Ｕ字状エレメントカバー。
【請求項２】
ヒューズ収納部を備えたバッテリー直付けヒュージブルリンクにおいて、前記ヒューズ収納部の端部壁部に前記ヒューズ収納部の表側と裏側とを貫通する貫通孔を形成し、かつ前記貫通孔の表側近傍の壁部と裏側近傍の壁部を除く途中の壁部を除去して前記ヒューズ収納部と開口させたことを特徴とするバッテリー直付けヒュージブルリンク。
【請求項３】
請求項２記載のバッテリー直付けヒュージブルリンクのヒューズ収納部の表側と裏側を請求項１記載のＵ字状エレメントカバーの表側カバー部と裏側カバー部とでそれぞれ覆ったバッテリー直付けヒュージブルリンクにおいて、前記Ｕ字状ヒューズエレメントの表側カバー部の前記コ字状部材を前記開口から前記貫通孔に収納しかつコ字の両脚部で前記表側近傍の壁部を挟むようにし、前記Ｕ字状ヒューズエレメントの裏側カバー部の前記長尺部材を前記貫通孔に収納したことを特徴とするバッテリー直付けヒュージブルリンク。
【請求項４】
一方のカバー部の開放側先端の端部にビス孔又はビスを設け、前記ヒュージブルリンクの前記ビス孔又は前記ビスに対応する箇所に前記ビス孔又は前記ビスと嵌合できるビス又はビス孔を設けたことを特徴とする請求項３記載のバッテリー直付けヒュージブルリンク。
【発明の詳細な説明】
【技術分野】
【０００１】
本発明は、ワイヤハーネスの端末部が接続されるヒューズの収容されたバッテリー直付けヒュージブルリンクに関するもので、特にそのＵ字状ヒューズエレメントに関する。
【背景技術】
【０００２】
バッテリー直付けヒュージブルリンクには、外部との絶縁保護のためにヒューズ部にＵ字状のエレメントカバーが装着され、しかもヒューズが切れたかどうかを外側から視認できるように透明なエレメントカバーが使用されている。
【０００３】
〈従来のエレメントカバー〉
図８はそのような透明なエレメントカバーが装着された従来のバッテリー直付けヒュージブルリンクの斜視図で、（ａ）はバッテリー直付けヒュージブルリンク全体の斜視図、（ｂ）はバッテリー直付けヒュージブルリンクからエレメントカバーを取り外した場合の斜視図、（ｃ）は図（ｂ）のＡ部分の拡大図である。
図８（ａ）において、８０が従来のバッテリー直付けヒュージブルリンクで、８１がＵ字状のエレメントカバーである。このＵ字状のエレメントカバー８１を
バッテリー直付けヒュージブルリンク８０から除去すると、図８（ｂ）のようになる。図の大きな楕円Ａで囲った部分が本発明が改良しようとするヒューズ収納部８２である。この楕円Ａの部分を拡大したのが図８（ｃ）である。
図８（ｃ）において、ヒューズ収納部８２には複数のヒューズエレメントＦが収納されている。このヒューズ収納部８２の表側と裏側とをＵ字状の透明なエレメントカバー８１で覆っている。
そして、ヒュージブルリンク８０に係止させるために、従来はエレメントカバー８１のＵ字連結側をＤで示す二重係止部と、先端側をＬで示すリンク部とでそれぞれエレメントカバー８１の対応係止部と係合させて固定させていた。
【０００４】
〈従来のエレメントカバーの欠点〉
しかしながら、二重係止部Ｄとリンク部Ｌがヒュージブルリンク８０の横幅に対してそれぞれの占める割合は無視できず、ヒュージブルリンク８０の横幅のスリム化にとってネックとなっていた。
【０００５】
〈関連技術〉
一方、コネクタの小型化に関する発明として特許文献１のようなものが開示されている。
しかしながら、本発明が対象としている長尺状のＵ字状ヒュージブルリンクの小型化にとっては有効なものとはなり得なかった。
【特許文献１】特開２００２−１８４５０８号公報
【発明の開示】
【発明が解決しようとする課題】
【０００６】
そこで、本発明は、上記した課題を解決するもので、占積率の大きい二重係止部Ｄとリンク部Ｌをなくすると共に、二重係止部Ｄとリンク部Ｌの機能していた確実な係合・固定ができるエレメントカバーとそれを使ったヒュージブルリンクを提供することを目的としている。
【課題を解決するための手段】
【０００７】
上記目的を達成するために、第１の発明はエレメントカバーに関するもので、バッテリー直付けヒュージブルリンクのヒューズ収納部の表側を覆う表側カバー部と、裏側を覆う裏側カバー部と、前記表側カバー部と前記裏側カバー部とを連結する連結部とから成るＵ字状エレメントカバーにおいて、前記両カバー部の一方のカバー部の先端に断面コ字状のコ字状部材をコ字の平坦部が前記裏面側を向きかつ両脚部がそれぞれ上下方向を向くように形成し、前記両カバー部の他方のカバー部の先端に前記コ字状部材の平坦部を押圧するように長尺部材を立設したことを特徴としている。
【０００８】
第２の発明はヒュージブルリンクに関するもので、ヒューズ収納部を備えたバッテリー直付けヒュージブルリンクにおいて、前記ヒューズ収納部の端部壁部に前記ヒューズ収納部の表側と裏側とを貫通する貫通孔を形成し、かつ前記貫通孔の表側近傍の壁部と裏側近傍の壁部を除く途中の壁部を除去して前記ヒューズ収納部と開口させたことを特徴としている。
【０００９】
第３の発明は、第２発明のバッテリー直付けヒュージブルリンクのヒューズ収納部の表側と裏側を、第１発明のＵ字状エレメントカバーの表側カバー部と裏側カバー部とでそれぞれ覆ったバッテリー直付けヒュージブルリンクにおいて、前記Ｕ字状ヒューズエレメントの表側カバー部の前記コ字状部材を前記開口から前記貫通孔に収納しかつコ字の両脚部で前記表側近傍の壁部を挟むようにし、前記Ｕ字状ヒューズエレメントの裏側カバー部の前記長尺部材を前記貫通孔に収納したことを特徴としている。
【００１０】
第４の発明は、請求項３記載のバッテリー直付けヒュージブルリンクにおいて、一方のカバー部の開放側先端の端部にビス孔又はビスを設け、前記ヒュージブルリンクの前記ビス孔又は前記ビスに対応する箇所に前記ビス孔又は前記ビスと嵌合できるビス又はビス孔を設けたことを特徴としている。
【発明の効果】
【００１１】
このような構成によれば、従来装置で採用していた占積率の大きい二重係止部Ｄとリンク部Ｌをなくすことができて、しかも二重係止部Ｄとリンク部Ｌのような確実な係合・固定ができるエレメントカバーとそれを使ったヒュージブルリンクを得ることが可能となった。
【発明を実施するための最良の形態】
【００１２】
以下、本発明に係るエレメントカバーとそれを使ったヒュージブルリンクについて、図面に基づいて説明する。
図１は本発明に係るエレメントカバー（実施の形態１）とこのエレメントカバーは固定される同じく本発明に係るヒュージブルリンク（実施の形態２）とを互いに分離して図示した斜視図である。
図において、１０は本発明の実施の形態２に係るヒュージブルリンクで、２０は本発明の実施の形態１に係るエレメントカバーである。そこで、以下、エレメントカバーとヒュージブルリンクの順で説明する。
【００１３】
〈実施の形態１：エレメントカバーの形状〉
図２は本発明の実施の形態１に係るエレメントカバーを説明する図で、（ａ）は表側から見た斜視図、（ｂ）は裏側から見た斜視図、（ｃ）は（ａ）のコ字状部材２１Ｍを通る水平面で切った断面図である。
図２において、実施の形態１に係るエレメントカバー２０は、バッテリー直付けヒュージブルリンク１０（図１）のヒューズ収納部１２（図１）の表側を覆う表側カバー部２１と、裏側を覆う裏側カバー部２２と、表側カバー部２１と裏側カバー部２２とを連結する連結部２３とから成っており、全体でＵ字状にかつ透明の樹脂で一体に形成されている。
表側カバー部２１は開放側（連結部２３のない方）先端の上下にそれぞれ断面コ字状のコ字状部材２１Ｍが形成されている。コ字状部材２１Ｍはコ字の平坦部が裏面側（すなわち、裏側カバー部２２側）を向き、かつコ字の両脚部がそれぞれ上下方向を向くように形成され、コ字の両脚部により形成される開口部２１Ｋにヒュージブルリンクの表側近傍の壁部１３Ｍ（図３、後述）が入り込めるようになっている。
裏側カバー部２２は開放側先端の上下にそれぞれ長尺部材２２Ｆが立設されている。裏側カバー部２２を表側カバー部２１に向けて押していくと、長尺部材２２Ｆは表側カバー部２１のコ字状部材２１Ｍの平坦部を押圧するようになっている。
また、裏側カバー部２２には開放側先端の長尺部材２２Ｆよりさらに端部の上下に小さなビス孔２２Ｌがあけられており、エレメントカバー２０がヒュージブルリンク１０に取り付けられたときに、ヒュージブルリンク１０の対応箇所に立設されたビス１０Ｂ（図６、後述）がこのビス孔２２Ｌに嵌入して固定されるようになっている。
【００１４】
〈実施の形態２：ヒュージブルリンクの形状〉
図３は本発明の実施の形態２に係るヒュージブルリンクを説明する図で、（ａ）はエレメントカバー２０を除去したヒュージブルリンクの斜視図、（ｂ）は図３（ａ）の楕円Ｂで囲った部分を拡大した斜視図である。
図３（ｂ）において、ヒューズ収納部１２には複数のヒューズエレメントＦが収納されている。ヒューズ収納部１２の端部（図で右側）の壁部１３にヒュージブルリンクの表側Ｈと裏側Ｕとを貫通する貫通孔１３Ｈ（図５（１）も参照）が形成されている。
さらに、その貫通孔１３Ｈとヒューズ収納部１２の端部と間の壁部のうち表側近傍の壁部１３Ｍと裏側近傍の壁部１３Ｎ（図示なし）を残し、その中間の壁部すべてを除去してヒューズ収納部１２と繋がる開口１３Ｌが形成されている。
そして、ヒューズ収納部１２の内部でヒューズ支持筐体１２Ｋを表面に対して斜めに設けていることで、表側カバー部２１を撓ませることができるようにしている。
また、ヒューズ収納部１２の裏側Ｕ（図６）には、裏側カバー部２２設けられたビス孔２２Ｌに対応した上下の箇所にビス１０Ｂ（図６）が立設されている。
このビス１０Ｂはエレメントカバー２０がヒュージブルリンク１０に取り付けられたとき、裏側カバー部２２のビス孔２２Ｌに嵌入してエレメントカバー２０をヒュージブルリンク１０に堅固に固定するのに寄与している。
【００１５】
〈エレメントカバーのヒュージブルリンクへの取り付け方〉
図１に分離して図示したエレメントカバー２０をヒュージブルリンク１０へ取り付ける取り付け方について、図４を用いて概略を説明する。
図４はエレメントカバー２０をヒュージブルリンク１０へ取り付ける取り付け方を説明する斜視図で、（１）から（４）に向かって時系列で示している。
（１）は、図１と同じくエレメントカバー２０がヒュージブルリンク１０から分離した状態を示している。
（２）は、エレメントカバー２０の表側カバー部２１がヒュージブルリンク１０の表側を殆ど覆って接触する直前の状態を示している。
（３）では、エレメントカバー２０の表側カバー部２１のコ字状部材２１Ｍ（図２（ａ））が、ヒューズ収納部１２（図３（ｂ））の壁部１３（図３（ｂ））に形成された開口１３Ｌ（図３（ｂ））の中へ没入した状態で、表側カバー部２１が
ヒュージブルリンク１０の表側に押し付けられて、ヒューズ収納部１２の内部まで斜めに入り込み、ヒューズ支持筐体１２Ｋ（図３（ｂ））に接触した状態を示している。この状態ではまだエレメントカバー２０はヒュージブルリンク１０へ取り付けられてはいない。
（４）で、エレメントカバー２０の裏側カバー部２２（図４（１））がヒュージブルリンク１０の裏側に押し付けられることで、裏側カバー部２２に立設した長尺部材２２Ｆ（図４（１））が貫通孔１３Ｈ（図３（ｂ））の裏側から挿入されて表側近傍まで達し、長尺部材２２Ｆが表側カバー部２１のコ字状部材２１Ｍの平坦部に接触して、これを表側へ押し戻すことで、表側カバー部２１のコ字状部材２１Ｍの両脚部により形成される開口部２１Ｋ（図２（ｃ））がヒュージブルリンク１０の表側近傍の壁部１３Ｍ（図３で後述）が入り込み、表側カバー部２１がヒュージブルリンク１０に固定される（表側カバー部２１の固定完了）ことになる（図５で詳述）。
これと同時に、さらに、裏側カバー部２２のビス孔２２Ｌ（図２（ｂ））にヒュージブルリンク１０に立設されたビス１０Ｂ（図６）が嵌入して、裏側カバー部２２もヒュージブルリンク１０に固定される（裏側カバー部２２の固定完了）ことになる（図６で詳述）。
【００１６】
〈表側カバー部２１のヒュージブルリンクへの固定〉
図５はエレメントカバー２０の表側カバー部２１をヒュージブルリンク１０へ取り付ける取り付け方を説明する断面平面図で、（１）から（４）に向かって時系列で示している。
（１）は、図４（２）に対応する図である。
表側カバー部２１は、コ字状部材２１Ｍをヒュージブルリンク１０の表側に押し付けながらヒューズ収納部１２の内部を斜めに進み、開口１３Ｌ（図３（ｂ））の中へ没入させる。次いで、裏側カバー部２２をヒュージブルリンク１０へ押しつけると、裏側カバー部２２に立設した長尺部材２２Ｆが貫通孔１３Ｈの中へ挿入される（図４（２））。
さらに裏側カバー部２２をヒュージブルリンク１０へ押し続けると、長尺部材２２Ｆが表側カバー部２１のコ字状部材２１Ｍの平坦部２１Ｆに接触して、これを表側へ押し戻すことで、表側カバー部２１のコ字状部材２１Ｍの両脚部により形成される開口部２１Ｋがヒュージブルリンク１０の表側近傍の壁部１０Ｔに入り込むことで、表側カバー部２１がヒュージブルリンク１０に固定され、表側カバー部２１の固定が完了する。
このように本発明によれば、表側カバー部２１が先端にコ字状部材２１Ｍを備え、このコ字状部材２１Ｍの両脚部により形成される開口部２１Ｋがヒュージブルリンク１０の表側近傍の壁部１０Ｔに入り込むことで、表側カバー部２１がヒュージブルリンク１０に確実に固定されることとなり、しかも従来装置のような横幅のとるリンクＬ（図８（ｃ））や、Ｕ字状エレメントカバー８１（図８（ａ））の連結部が当接する部位の二重係止部Ｄが不要となるので、ヒュージブルリンク１０の横幅方向のスリム化に寄与することができる。
【００１７】
〈裏側カバー部２２のヒュージブルリンクへの固定〉
図６はエレメントカバー２０の裏側カバー部２２をヒュージブルリンク１０へ取り付ける取り付け方を説明する裏側Ｕから見た正面図で、（ａ）はその全体図、（ｂ）は（ａ）のうち係合部位を拡大した正面図である。
図６は図５（２）の状態を裏側Ｕから見た正面図で、裏側カバー部２２に立設した長尺部材２２Ｆが貫通孔１３Ｈ（図３（ｂ））の裏側Ｕから途中まで挿入された状態を示している。
さらに、ヒュージブルリンク１０端部で、裏側カバー部２２のビス孔２２Ｌ（図６（ｂ））の対応する部位の上下に、ビス１０Ｂ（図６（ｂ））が立設されている。
裏側カバー部２２がヒュージブルリンク１０に押し付けられると、ヒュージブルリンク１０端部の上下のビス１０Ｂが裏側カバー部２２のビス孔２２Ｌに嵌入することで確実に固定される。
このように本発明によれば、裏側カバー部２２に立設した長尺部材２２Ｆが貫通孔１３Ｈ（図３（ｂ））の裏側Ｕから貫通孔１３Ｈを通って表側カバー部２１の先端のコ字状部材２１Ｍの平坦部２１Ｆ（図５（２））を押圧して、その開口部２１Ｋ（図５（２））がヒュージブルリンク１０の表側近傍の壁部１０Ｔ（図５（２））に入り込むようにさせることで、表側カバー部２１のヒュージブルリンク１０への固定を促すと共に、裏側カバー部２２自身もヒュージブルリンク１０端部の上下のビス１０Ｂが裏側カバー部２２のビス孔２２Ｌに嵌入することで確実に固定される。
【００１８】
図７はこれまで説明したヒュージブルリンク１０の補足説明図である。
図７（ａ）は図４（２）のヒュージブルリンク１０の状態を表側Ｈから見た正面図、（ｂ）は図６のヒュージブルリンク１０にエレメントカバー２０を固定した状態を裏側Ｕから見た正面図である。
図７（ａ）では、エレメントカバー２０の表側カバー部２１のコ字状部材２１Ｍがヒューズ収納部１２（図３（ｂ））の壁部１３（図３（ｂ））に形成された貫通孔１３Ｈの中へまもなく没入しようとしている。なお、２１Ｋはコ字状部材２１Ｍによる開口部である。
図７（ｂ）は、図６（ａ）の裏側カバー部２２をさらに押圧してビス孔２２Ｌにビス１０Ｂ（図６（ｂ））が嵌入し、裏側カバー部２２がヒュージブルリンク１０の裏側を閉止している。
【００１９】
本発明によればこのように確実な取り付けができ、しかも従来装置のような横幅のとるリンクＬ（図８（ｃ））や、Ｕ字状エレメントカバー８１（図８（ａ））の連結部が当接する部位の二重係止部Ｄが不要となるので、図８（ａ）のヒュージブルリンク８０と比べて判るように本発明による図４（４）のヒュージブルリンク１０は横幅方向が大きくスリム化されている。
なお、以上説明した長尺部材とコ字状部材は表側カバー部と裏側カバー部のそれぞれどちら側にあっても良い。
同じく、ビスとビス孔はヒュージブルリンクとエレメントカバーのそれぞれどちら側にあっても良い。
【図面の簡単な説明】
【００２０】
【図１】本発明に係るエレメントカバー（実施の形態１）とこのエレメントカバーは固定される同じく本発明に係るヒュージブルリンク（実施の形態２）とを互いに分離して図示した斜視図である。
【図２】本発明の実施の形態１に係るエレメントカバーを説明する図で、（ａ）は表側から見た斜視図、（ｂ）は裏側から見た斜視図、（ｃ）は（ａ）のコ字状部材（後述）を通る水平面で切った断面図である。
【図３】本発明の実施の形態２に係るヒュージブルリンクを説明する図で、（ａ）はエレメントカバーを除去したヒュージブルリンクの斜視図、（ｂ）は図３（ａ）の楕円Ｂで囲った部分を拡大した斜視図である。
【図４】エレメントカバーをヒュージブルリンクへ取り付ける取り付け方を説明する斜視図で、（１）から（４）に向かって時系列で示している。
【図５】エレメントカバーの表側カバー部をヒュージブルリンクへ取り付ける取り付け方を説明する断面平面図で、（１）から（４）に向かって時系列で示している。
【図６】エレメントカバーの裏側カバー部をヒュージブルリンクへ取り付ける取り付け方を説明する裏側Ｕから見た正面図で、（ａ）はその全体図、（ｂ）は（ａ）のうち係合部位を拡大した正面図である。
【図７】本発明のヒュージブルリンクの補足説明図である。
【図８】従来のバッテリー直付けヒュージブルリンクの斜視図で、（ａ）はバッテリー直付けヒュージブルリンク全体の斜視図、（ｂ）はバッテリー直付けヒュージブルリンクからエレメントカバーを取り外した場合の斜視図、（ｃ）は図（ｂ）のＡ部分の拡大図である。
【符号の説明】
【００２１】
１０  本発明の実施の形態２に係るヒュージブルリンク
１０Ｂ  ビス
１２  ヒューズ収納部
１２Ｋ  ヒューズ支持筐体
１３Ｈ  貫通孔
１３Ｌ  開口
１３Ｍ  表側近傍の壁部
２０  本発明の実施の形態１に係るエレメントカバー
２１  表側カバー部
２１Ｆ  コ字状部材の平坦部
２１Ｋ  開口部
２１Ｍ  コ字状部材
２２  裏側カバー部
２２Ｆ  長尺部材
２２Ｌ  ビス孔
２３  連結部
Ｆ  ヒューズエレメント
Ｈ  ヒュージブルリンクの表側
Ｕ  ヒュージブルリンクの裏側
【図１】
2010129313.tif 000003
【図２】
2010129313.tif 000004
【図３】
2010129313.tif 000005
【図４】
2010129313.tif 000006
【図５】
2010129313.tif 000007
【図６】
2010129313.tif 000008
【図７】
2010129313.tif 000009
【図８】
2010129313.tif 000010